(57)【要約】 【課題】  弾性接触片の変形を防止する。【解決手段】  雌端子金具１０は、天井壁１７とこれに対向する底壁１５と両者をつなげる一対の側壁１６とによって箱形をなす本体部１３を備えている。本体部１３内には弾性接触片２０が撓み変形可能に配され、弾性接触片２０のうち天井壁１７の前端に連なる回曲部２１と両側壁１６との間にはスリット２６が保有されている。回曲部２１は、その上面が天井壁１７の上面よりも下位にあって、その全体が両側壁１６の対向面間の空間内に配置されている。【選択図】  図４
2006253075.tif 000002
【特許請求の範囲】
【請求項１】
基壁とこれに対向する対向壁と両者をつなげて互いに対向する一対の側壁とによって箱形をなす本体部を備え、この本体部内に弾性接触片が撓み変形可能に配され、この弾性接触片のうち前記基壁の前端に連なる回曲部と前記両側壁との間にスリットが保有されており、前記本体部内に前方から相手側となる雄端子金具のタブが挿入されることで、前記弾性接触片が前記回曲部を支点として撓み変形されて前記タブと電気的に接続される雌端子金具において、
前記回曲部は、その外面が前記基壁の外面よりも前記対向壁側により近い位置に設定されて、その全体が前記両側壁の対向面間の空間内に配置されていることを特徴とする雌端子金具。
【請求項２】
前記回曲部は、折り返しによって二枚の板部を厚み方向に重ね合わせて構成されていることを特徴とする請求項１に記載の雌端子金具。
【発明の詳細な説明】
【技術分野】
【０００１】
本発明は、雌端子金具に関する。
【背景技術】
【０００２】
雌端子金具として、相手側となる雄端子金具のタブを挿入可能な箱形をなす本体部を備え、この本体部内に基壁の前端から後方へ向けて折り返された弾性接触片を撓み変形可能に配したものが知られている（例えば、特許文献１を参照）。
弾性接触片の前端部は、基壁の前端から回曲状に形成されており、その両側にスリットを介して両側壁の前端部が対峙して配されている。
【特許文献１】特開平４−１１５４７５号公報
【発明の開示】
【発明が解決しようとする課題】
【０００３】
ところで、雌端子金具の本体部に対して側方から外力が作用しても、その外力は両側壁の外面と干渉するから、かかる外力によって弾性接触片が変形することはない。しかし、雌端子金具の本体部に対して斜め前方から外力が作用すると、基壁の上面と弾性接触片の前端部の上面とが同じ高さで連なっていることに起因し、かかる外力によって弾性接触片の前端部が突き上げられて変形する事態が起こり得る。そうすると、タブに対する接点部も正規位置から位置ずれするから、接触信頼性に影響の及ぶことが懸念される。
本発明は、上記のような事情に基づいて完成されたものであって、弾性接触片が変形するのを防止することを目的とする。
【課題を解決するための手段】
【０００４】
上記の目的を達成するための手段として、請求項１の発明は、基壁とこれに対向する対向壁と両者をつなげて互いに対向する一対の側壁とによって箱形をなす本体部を備え、この本体部内に弾性接触片が撓み変形可能に配され、この弾性接触片のうち前記基壁の前端に連なる回曲部と前記両側壁との間にスリットが保有されており、前記本体部内に前方から相手側となる雄端子金具のタブが挿入されることで、前記弾性接触片が前記回曲部を支点として撓み変形されて前記タブと電気的に接続される雌端子金具において、前記回曲部は、その外面が前記基壁の外面よりも前記対向壁側により近い位置に設定されて、その全体が前記両側壁の対向面間の空間内に配置されている構成としたところに特徴を有する。
【０００５】
請求項２の発明は、請求項１に記載のものにおいて、前記回曲部は、折り返しによって二枚の板部を厚み方向に重ね合わせて構成されているところに特徴を有する。
【発明の効果】
【０００６】
＜請求項１の発明＞
雌端子金具の本体部に対して斜め前方から外力が作用すると、その外力は両側壁の端縁で受け止められる。このとき、弾性接触片の回曲部は、その全体が両側壁の対向面間の空間内に配置されて保護された状態にあるから、かかる外力によって変形する事態を回避できる。
【０００７】
＜請求項２の発明＞
回曲部の外面が対向壁側に近づくように基壁の外面に対して段差状をなしているという事情があっても、回曲部が折り返しによって二枚の板部を重ね合わせて構成されているから、弾性接触片全体の高さ位置を対向壁側に近づける必要がなく、もって本体部の高背化を防止できる。また、回曲部の強度を高めることができる。
【発明を実施するための最良の形態】
【０００８】
本発明の一実施形態を図１ないし図４によって説明する。
本実施形態の雌端子金具１０は、導電性の金属板に折り曲げ加工を施してなり、全体として前後方向に細長い形態をなしている。なお、以下の説明において、前後方向については、図１の左側を前方とする。
【０００９】
雌端子金具１０は、図１に示すように、その前端部に相手側となる雄端子金具のタブを挿入可能な本体部１３を備えるとともに、本体部１３の後方に図示しない電線の端末芯線にかしめ付けられるワイヤバレル１１を備え、さらにその後方に電線の端末被覆にかしめ付けられるインシュレーションバレル１２を備えている。
【００１０】
本体部１３は、図３に示すように、底壁１５（本発明における対向壁に相当する）と、その両側端から立ち上げられた左右一対の両側壁１６と、このうちの一方の側壁１６から他方の側壁１６に向けて架け渡された天井壁１７（本発明における基壁に相当する）とからなり、全体として箱形をなしている。本体部１３の前面には、タブを挿通可能な挿通口１４が略方形状に開口している。
側壁１６の自由端には上方に突出するスタビライザ１８が設けられている。スタビライザ１８は図示しないコネクタハウジングのキャビティに形成された案内溝に嵌入され、雌端子金具１０の誤挿入を防止する役割を担っている。
また、天井壁１７にはスタビライザ１８と隣接してロック孔１９が設けられている。ロック孔１９の孔縁にはコネクタハウジングのキャビティ内に設けられたランスが弾性的に係止され、雌端子金具１０が抜け止め状態で保持されるようになっている。天井壁１７の前端は、両側壁１６及び底壁１５の各前端よりも後退した位置に設定され、ここに後述する弾性接触片２０の回曲部２１が一体に連なっている。
【００１１】
底壁１５には、本体部１３内に叩き出された張出部２４が前後方向に延出して形成されている。張出部２４の上面は、タブと摺接可能なフラット面とされ、対向する弾性接触片２０の接点部２３との間でタブを弾性的に挟み付けて導通をとるようになっている。
【００１２】
また、本体部１３内には、撓み変形可能な弾性接触片２０が配置されている。弾性接触片２０は、天井壁１７の前端に連なる回曲部２１と、この回曲部２１から後方へ向けて延出する弾性本体部２２とからなり、弾性本体部２２の延出端が自由端とされた片持ち状となっている。さらに、弾性本体部２２は、斜め下方へ向けて延出する前側の第１斜面部２２Ａと斜め上方へ向けて延出する後側の第２斜面部２２Ｂとからなり、両者がつながる最下端にタブに対する接点部２３が設定されている。
【００１３】
さて、回曲部２１は、折り返しによって厚み方向に重ね合わせた上下の板部２５で構成されている。詳しくは、回曲部２１は、天井壁１７に対して板厚分程度下がるような段差状をなしており、上側の板部２５Ａが天井壁１７の前端から前方へ向かって斜め下方へ延出したあと略水平となってさらに前方へ延出する形態とされ、下側の板部２５Ｂが上側の板部２５Ａの前端から折り返されて後方へ向かって略水平に延出してその延出端で第１斜面部２２Ａとつながる形態とされ、両板部２５における略水平に延出する部分が上下で重ね合わされている。つまり、回曲部２１は、下側の板部２５Ｂを略水平な状態としてそこに上側の板部２５Ａを接近させて互いに密着重ねして形成されるものである。また、回曲部２１の両側はスリット２６を介して両側壁１６が対峙して配されている。このスリット２６は、回曲部２１の全長に亘って前後方向に延出して形成され、前方に開放されている。したがって、回曲部２１は、その全体が両側壁１６の対向面間の空間内に配されて、本体部１３内に保護された状態にある。
【００１４】
次に、本実施形態の作用効果を説明する。まず、図示しない雌雄の両コネクタ同士の嵌合動作を開始することにより、前方から挿通口１４を通して本体部１３内に雄端子金具のタブを挿入する。両コネクタ同士が正規嵌合されると、タブが本体部１３内に正規深さで挿入され、雌雄の両端子金具が電気的に接続される。
【００１５】
ところで、両コネクタを嵌合する前に、雌端子金具１０の本体部１３に対して図４の矢印Ｘ方向となる斜め前方から外力が作用した場合に、従来のように回曲部２１の上面（上側の板部２５Ａの上面）と天井壁１７の上面とが同じ高さに設定されていると、回曲部２１が外力によって突き上げられて変形を来たすことが懸念される。しかし、本実施形態によれば、弾性接触片２０の回曲部２１の上面が天井壁１７の上面よりも下位にあって両側壁１６の対向面間の空間内に保護されているから、かかる外力が両側壁１６の上端によって受け止められることで、回曲部２１に直接作用することはない。その結果、弾性接触片２０が変形する事態を回避できる。
【００１６】
また、回曲部２１の上面が天井壁１７の上面よりも下位にあって天井壁１７から一段落ちているという事情があっても、回曲部２１が折り返しによって密着重ねされているから、弾性接触片２０全体の高さ位置を落とす必要がなく、もって本体部１３の高背化を防止できる。
【００１７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本実施形態においては、弾性接触片を天井壁に接続させていたが、本発明においては、弾性接触片を底壁に接続させてもよい。
（２）本実施形態において、弾性接触片が片持ち状とされていたが、本発明においては、弾性本体部の延出端が天井壁に当接等して弾性接触片が両持ち状とされてもよい。
【図面の簡単な説明】
【００１８】
【図１】本実施形態の雌端子金具の側面図
【図２】その平面図
【図３】その縦断面図
【図４】その側断面図
【符号の説明】
【００１９】
１０…雌端子金具
１１…ワイヤバレル
１２…インシュレーションバレル
１３…本体部
１７…天井壁
２０…弾性接触片
２１…回曲部
２２…弾性本体部
２２Ａ…第一斜面部
２２Ｂ…第二斜面部
２３…接点部
２４…張出部
２５Ａ…上側の板部
２５Ｂ…下側の板部
【図１】
2006253075.tif 000003
【図２】
2006253075.tif 000004
【図３】
2006253075.tif 000005
【図４】
2006253075.tif 000006